(57)【要約】【課題】  天板からコンセント間に配線される電源ケーブルの弛みを極力防止させるとともに、脚柱の天板支持強度を低下させることがなく、しかも利用者がコンセントの差込口を直接視認せずとも、容易かつ確実に電源ケーブルのプラグの取付位置が確認できるコンセント付きテーブルを提供すること。【解決手段】  脚柱３の上端部３ａに設けられた天板支持部材１０に外方を向く開口１２ａが形成され、この開口１２ａから内方に向かう通孔１２にコンセントユニット２０が内挿される。コンセントユニット２０が脚柱３の上部にあるので、利用者が容易かつ確実に電源ケーブルのプラグの取付位置を確認することができる。また、テーブルの天板上載置された電気機器から延出される電源ケーブルの差込口２０ｂまでの長さ間隔を極力短くすることができるので、利用者が電源ケーブルに引っ掛かることが避けられるとともに、従来のように脚柱に加工を施してコンセントを取り付ける必要がないので、脚柱３の天板支持強度を低下させることもない。【選択図】  図３
2006102117.tif 000002
【特許請求の範囲】
【請求項１】
天板の下面と脚柱との間に天板支持部材が固設されたテーブルであって、前記天板支持部材にはテーブルの外方を向く開口から内方に向かって通孔が形成され、該通孔には、差込口を備えたコンセントユニットが該開口より内挿可能に取り付けられていることを特徴とするコンセント付きテーブル。
【請求項２】
前記コンセントユニットが通孔内に内挿された状態では、前記開口は前記コンセントユニットの差込口側で閉蓋される請求項１に記載のコンセント付きテーブル。
【請求項３】
前記差込口の外表面は開口を形成する前記天板支持部材の外表面と面一になっている請求項２に記載のコンセント付きテーブル。
【請求項４】
前記コンセントユニットの外周面に係合部を設け、前記通孔の内周面に前記係合部と係合する被係合部を設けた請求項１乃至３のいずれかに記載のコンセント付きテーブル。
【請求項５】
前記通孔は略水平方向に形成され、前記天板支持部材の下側には前記通孔と連通する第２の開口が形成され、前記コンセントユニットが通孔内に内挿された状態では、該コンセントユニットの差込口と反対側が前記第２の開口の上方または第２の開口から前記コンセントユニットの差込口側にわずかに寄った位置にある請求項１乃至４のいずれかに記載のコンセント付きテーブル。
【請求項６】
前記コンセントユニットの差込口と反対側には係合部を被係合部から外す操作部が設けられている請求項５に記載のコンセント付きテーブル。
【請求項７】
前記天板支持部材は脚柱にボルトで固設すると共に、前記天板支持部材の下面に脚柱の上端部に差し込み可能な下方に向く挿入片を設けた請求項１乃至６のいずれかに記載のコンセント付きテーブル。
【請求項８】
前記天板支持部材の上面に天板と連結可能な一対の扇状支持部を設けた請求項１乃至７のいずれかに記載のコンセント付きテーブル。
【発明の詳細な説明】
【技術分野】
【０００１】
本発明は、電気あるいは通信ケーブル等のコンセントを有するテーブルに関する。
【背景技術】
【０００２】
従来のコンセント付きテーブルでは、コンセントが天板のコーナー部の下面に設けられた中空状の脚柱の途中に形成した切り欠きに挿入された後、その位置に固設され、このコンセントに接続された電源コードが脚柱内を通り、脚柱の下端部より導出されている。この導出された電源コードの先端部にはプラグが設けられることで、予め室内の壁面や床面等に複数設けられたコンセントのいずれかに接続することが可能になっている。
【０００３】
このように、電源コードを脚柱内に配設させることで、電源コードを天板の下方に宙吊り状態で露出することを防止でき、テーブルを使用中の利用者の手や足に電源コードが引っ掛からない配線構造になっていた。
【０００４】
【特許文献１】実願昭５５−２５８９７号（実開昭５６−１２８０３１号公報）のマイクロフィルム（第２頁１８行〜第３頁１４行、第１図、第３図）
【発明の開示】
【発明が解決しようとする課題】
【０００５】
しかしながら、特許文献１にあっては、脚柱の途中にコンセントが取り付けられたものであるため、例えば、天板上に載置された電気機器から延出された電源ケーブルのプラグをコンセントに差し込む際に、利用者はコンセントの差込口の位置を確認する必要があり、差し込みに手間が掛かり、同様にプラグのコンセントからの取り外しにも手間が掛かっていた。
【０００６】
また、天板から脚柱のコンセントまで電源ケーブルが配線されると、テーブルのコーナー部からコンセントに掛けて配線された電源ケーブルの長さの自重により弛みが生じやすく、利用者の作業中に身体の一部が電源ケーブルに引っ掛かり、プラグがコンセントから抜け落ちる恐れがあった。さらに、脚柱の一部が切り欠かれているために、脚柱の天板支持強度が低下させる恐れがあった。
【０００７】
本発明は、このような問題点に着目してなされたもので、天板からコンセント間に配線される電源ケーブルの弛みを極力防止させるとともに、利用者がコンセントの差込口を直接視認せずとも、利用者にプラグの取付位置が予測でき、しかも脚柱の天板支持強度を低下させることがないコンセント付きテーブルを提供することを目的とする。
【課題を解決するための手段】
【０００８】
上記課題を解決するために、本発明の請求項１に記載のコンセント付きテーブルは、天板の下面と脚柱との間に天板支持部材が固設されたテーブルであって、前記天板支持部材にはテーブルの外方を向く開口から内方に向かって通孔が形成され、該通孔には、差込口を備えたコンセントユニットが該開口より内挿可能に取り付けられていることを特徴としている。
この特徴によれば、脚柱の上部に設けられた天板支持部材にコンセントユニットが設けられるため、利用者にプラグの取付位置が予測できる。また、天板上に載置された電気機器から延出された電源ケーブル等を脚柱の方まで延ばさなくてよいので、利用者が電源ケーブル等に引っ掛かることが極量避けられるとともに、従来のように脚柱に加工を施してコンセントを取り付ける必要がないので、脚柱の天板支持強度を低下させることもない。しかも、コンセントユニットの差込口がテーブルの外側面に向かって設けられることから、コンセントユニットの挿入が容易であり、かつ更に、利用者の一番近い脚柱の上方にあるコンセントユニットを使用できるので、利用勝手がよい。
【０００９】
本発明の請求項２に記載のコンセント付きテーブルは、請求項１に記載のコンセント付きテーブルであって、前記コンセントユニットが通孔内に内挿された状態では、前記開口は前記コンセントユニットの差込口側で閉蓋されることを特徴としている。
この特徴によれば、コンセントユニットの取り付け時に、開口はコンセントユニットにより閉蓋されるので、通孔内に塵や埃が侵入することが阻止される。
【００１０】
本発明の請求項３に記載のコンセント付きテーブルは、請求項２に記載のコンセント付きテーブルであって、前記差込口の外表面は開口を形成する前記天板支持部材の外表面と面一になっていることを特徴としている。
この特徴によれば、天板支持部材の外表面と差込口の外表面とが面一となっているため、プラグ差し込み時の突出が極力避けられ、且つ面一となった面を脚柱の外表面とも面一とすることも可能で、美感に優れたテーブル脚を提供できる。
【００１１】
本発明の請求項４に記載のコンセント付きテーブルは、請求項１乃至３のいずれかに記載のコンセント付きテーブルであって、前記コンセントユニットの外周面に係合部を設け、前記通孔の内周面に前記係合部と係合する被係合部を設けたことを特徴としている。
この特徴によれば、コンセントユニットを通孔に取り付けると、通孔の内周面に形成された被係合部に、コンセントユニットの外周面に設けられた係合部が嵌合されることで、通孔から安易に取り外れることが防止される。
【００１２】
本発明の請求項５に記載のコンセント付きテーブルは、請求項１乃至４のいずれかに記載のコンセント付きテーブルであって、前記通孔は略水平方向に形成され、前記天板支持部材の下側には前記通孔と連通する第２の開口が形成され、前記コンセントユニットが通孔内に内挿された状態では、該コンセントユニットの差込口と反対側が前記第２の開口の上方または第２の開口から前記コンセントユニットの差込口側にわずかに寄った位置にあることを特徴としている。
この特徴によれば、コンセントユニットの差込口の反対側に第２の開口が形成されているので、コンセントユニットに接続した電源コードを第２の開口の空間部を利用して、自由な方向に配線させることができる。
【００１３】
本発明の請求項６に記載のコンセント付きテーブルは、請求項５に記載のコンセント付きテーブルであって、前記コンセントユニットの差込口と反対側には係合部を被係合部から外す操作部が設けられていることを特徴としている。
この特徴によれば、第２の開口から操作部を操作することで、コンセントユニットの通孔からの取り外しが容易にできる。
【００１４】
本発明の請求項７に記載のコンセント付きテーブルは、請求項１乃至６のいずれかに記載のコンセント付きテーブルであって、前記天板支持部材は脚柱にボルトで固設すると共に、前記天板支持部材の下面に脚柱の上端部に差し込み可能な下方に向く挿入片を設けたことを特徴としている。
この特徴によれば、天板支持部材の挿入片を脚柱の上端部に差し込むと共に、天板支持部材を脚柱にボルトで固定するので、互いが確実に連結され、天板の支持強度が高められる。
【００１５】
本発明の請求項８に記載のコンセント付きテーブルは、請求項１乃至７のいずれかに記載のコンセント付きテーブルであって、前記天板支持部材の上面に天板と連結可能な一対の扇状支持部を設けたことを特徴としている。
この特徴によれば、天板支持部材の扇状支持部により天板の支持面積を拡大させることで、より安定して天板を支えることができる。
【発明を実施するための最良の形態】
【００１６】
本発明の実施例を以下に説明する。
【実施例１】
【００１７】
図１は、本発明の実施例１におけるコンセント付きテーブルの全体像を示す斜視図であり、図２は、天板支持部材に設けられるコンセントユニットを示す斜視図であり、図３は、天板支持部材と脚柱の分解組立斜視図であり、図４は、天板支持部材の背面構造を示す斜視図であり、図５（ａ）は、図３のＡ−Ａ線の断面図でありコンセントユニットを天板支持部材に取り付ける過程を示す図であり、図５（ｂ）は、コンセントユニットを天板支持部材に取り付けた断面図であり、図５（ｃ）は、コンセントユニットを天板支持部材から取り外す断面図である。
【００１８】
図６（ａ）は、天板支持部材にコンセントユニットが取り付けられた斜視図であり、図６（ｂ）は、天板支持部材に閉塞部材が取り付けられた変形例を示す斜視図であり、図６（ｃ）は、天板支持部材に通信ユニットが取り付けられた変形例を示す斜視図であり、図７（ａ）は、コンセント付きテーブルの下方内側より、天板のコーナー部側を見上げた斜視図であり、図７（ｂ）は図７（ａ）のＢ−Ｂ線の断面図である。図８は、コンセント付きテーブルの裏面構造を示す一部破断斜視図であり、図９は、コンセント付きテーブルの利用形態を示す平面概略図である。
【００１９】
このコンセント付きテーブル１（以下、テーブル１）では、後で詳述するが天板２上に載置された電気機器類に電源を供給可能となっている。そこで、本発明の実施例を図面に基づいて説明すると、図１に示されるように、テーブル１は主に上面視矩形状の天板２と、天板２の各隅部が切り欠かれたように形成されたコーナー部２ｃ下面に設けられた脚柱３（本実施例では４脚）と、この両者（天板２と脚柱３）の間に設けられた天板支持部材１０（本実施例では４つ）と、から構成されており、脚柱３の下端には高さ調整可能な接地部材であるアジャスタ３３が取り付けられ、テーブル１が安定して床面３９に載置されている。
【００２０】
テーブル１の周囲には椅子３５が複数設置され、天板２には、飲料が注がれた複数のカップＫと、電気機器であるノート型パソコン（以下、パソコン）３４が複数設置されており、それぞれのパソコン３４に接続される電源ケーブル３４ａの先端に設けられたプラグ３４ｂが、近傍に位置する各天板支持部材１０に設けられた後述するコンセントユニット２０に形成された差込口に差し込まれている。このコンセントユニット２０の背面側からは電源コード２６が脚柱３の背面に沿って延設され、電源コード２６の先端に設けられたプラグ２６ａが、壁面３６に設けられたコンセント３７に差し込まれている。
【００２１】
以下、本実施例の説明において、天板支持部材１０の外側を前方とし、天板支持部材１０の内方および背面側を後方とし、天板支持部材１０の両側方向を左右方向として説明する。
【００２２】
コンセントユニット２０は、図２に示されるように差込口２０ｂが設けられた表面板２０ａと、表面板２０の後方に向かって延出するように形成された矩形ボックス状の嵌入部２０ｃと、嵌入部２０ｃの差込口２０ｂの反対側から延出された電源コード２６から構成され、電源コード２６の先端にはプラグ２６ａが設けられている。電源コード２６の所定間隔周りにはスパイラルバンド２９が巻き付けられている。
【００２３】
嵌入部２０ｃの上下端面の差込口２０ｂ側には、それぞれ２本の案内片２１が形成され、嵌入部２０ｃの左右端面の差込口２０ｂ反対側には、それぞれ後方から下方に向かって「く字形」に折り曲げられた係止片２３が形成され、先端部に操作部２３ａが設けられている。この係止片２３の折り曲げ近傍には、外方に突設された係合部に相当する係合凸部２５が形成されている。
【００２４】
次いで、天板２を支持する天板支持部材１０および脚柱３について詳細に説明すると、図３に示されるように、天板支持部材１０の上面には、天板２と連結可能な一対の扇状支持部１４が設けられており、扇状支持部１４の複数箇所に上下に貫通する貫通孔１５が形成され、この貫通孔１５を介してボルト２７で天板２と連結可能になっている。天板支持部材１０の下面には、下方に向けて一対の挿入片１７が延設されている。
【００２５】
天板支持部材１０の外側面には、外方を向く第１開口１２ａから内方に向かって略水平方向に通孔１２が形成され、通孔１２の内周上下面に内方に向けて摺動溝１１が形成され、コンセントユニット２０の案内片２１が摺動可能に嵌合されるようになっている。通孔１２の内方側方には上下方に向けて被係合部に相当する係合凹部１８が形成されている。通孔１２下面には下方に貫通するボルト用の貫通孔１６が形成され、通孔１２の上面には上方に貫通する開口１２ｃが連通されている。
【００２６】
脚柱３には上下に貫通する溝条５が前後左右に形成され、後方の溝条５には上下方向に挿入溝６が形成されている。脚柱３の上端部３ａと下端部３ｂにはその中央位置に螺合穴４が形成され、下端部３ｂには貫通孔７ａが形成されたカバー部材７が嵌合され、この貫通孔７ａを介して下端部３ｂの螺合穴４に向けてアジャスタ３３が取り付けられる。
【００２７】
天板支持部材１０と脚柱３の連結は、天板支持部材１０の挿入片１７を左右の溝条５に嵌合させて、脚柱３の上端部３ａに位置固定させた後、ボルト２８を天板支持部材１０の開口１２ｃから貫通孔１６に向けて挿し込み、脚柱３の螺合穴４に螺合させ締め付けることで連結が完了する。このように、ボルト２８による螺合と、挿入片１７により天板支持部材１０と脚柱３が確実に連結される。このようにして連結された天板支持部材１０と脚柱３は分離も容易であるので、脚柱３の高さの変更を行いたい場合にも、長さの違う新たな脚柱３の交換が容易に行える構成になっている。
【００２８】
そして、天板支持部材１０と脚柱３の連結完了後、コンセントユニット２０を天板支持部材１０の第１開口１２ａから通孔１２に向けて内挿可能になっている。なお、コンセントユニット２０の取り付けについては、後述において具体的に説明する。また、通孔１２にコンセントユニット２０を取り付けずに、第１開口１２ａを閉蓋する部材として、閉塞部材３２を取り付けることも可能であり、この閉塞部材３２はコンセントユニット２０と同様に表面板３２ａの後方に向かって延設された嵌入部３２ｃと、嵌入部３２ｃの表面板３２ａ側の上下端面にはそれぞれ２本の案内片３２ｅが形成され、嵌入部３２ｃの両側面に切欠き３２ｄが形成されている。
【００２９】
次いで、天板支持部材１０の背面構造について説明すると、図４に示されるように、天板支持部材１０の後方には、下方に向けて第２開口１２ｂが形成され、通孔１２に連結されている。つまり、第１開口１２ａおよび第２開口１２ｂは通孔１２を介して連結されている。第２開口１２ｂの内周面の前方両端部には、係合凹部１８が上方向に向けて形成されており、第２開口１２ｂの前端近傍から前方斜め下方に向けて配線溝１９が形成され、電源コード２６が案内可能となっている。この第２開口１２ｂには、閉塞部材３２の切欠き３２ｄが前後方向を向く状態で、通孔１２内に嵌入部３２ｃを圧入させることで取り付け可能になっている。
【００３０】
天板支持部材１０の後端上部には、後方に突設された連結部１３が形成され、連結部１３の中央位置に前後に貫通する連結孔１３ａが形成されている。ボルト２７を第２開口１２ｂから連結孔１３ａを介して、連結部１３の螺合穴４５ａに螺合させることで、連結部１３に後述する連結部材４５が接続される。
【００３１】
次に、コンセントユニット２０を天板支持部材１０に取り付ける過程を具体的に説明すると、図５（ａ）に示されるように、コンセントユニット２０が矢印に示される方向に、天板支持部材１０の第１開口１２ａから通孔１２に向けて内挿されると、係合凸部２５が通孔１２の内周面に当接され係止片２３が内方に撓みながら、徐々に通孔１２内に嵌入部２０ｃが内挿されていく。
【００３２】
そして、図５（ｂ）に示されるように、コンセントユニット２０の表面板２０ａが第１開口１２ａの前端面に当接される位置まで内挿されることにより、左右の係止片２３に形成された係合凸部２５がそれぞれ通孔１２に形成された係合凹部１８に嵌合され、係止片２３の撓みが解除されることで、天板支持部材１０にコンセントユニット２０が位置固定され、コンセントユニット２０の取り付けが完了する。なお、嵌入部２０ｃの上下面に形成された案内片２１が第１開口１２ａの近傍に形成された摺動溝１１（図３参照）に摺動可能に嵌合されるので、コンセントユニット２０全体のがたつきが防止される。
【００３３】
天板支持部材１０からコンセントユニット２０を取り外すには、係止片２３の後端に位置する左右の操作部２３ａを利用者の指等で第２開口１２ｂ側より、図５（ｂ）の矢印に示される方向に押圧させることにより、係合凹部１８と係合凸部２５の嵌合状態を解除させることができ、図５（ｃ）に示されるように、コンセントユニット２０を矢印に示された方向に引き出すことができる。なお、コンセントユニット２０の内挿時と同様に引き出し時にも、係合凸部２５が通孔１２の内周面に当接されて係止片２３が内方に撓むので、取り出し時に引っ掛かりを生じさせることなく、取り出し作業を円滑に行うことができる。
【００３４】
このように、コンセントユニット２０の係止片２３に、外周面側に向けて係合部である係合凸部２５を設け、前記通孔１２の内周面に被係合部である係合凹部１８を設けることで、コンセントユニット２０を通孔１２に容易に取り付けられるとともに、コンセントユニット２０が通孔１２から安易に取り外れることが防止されている。
【００３５】
図６（ａ）に示されるように、天板支持部材１０にコンセントユニット２０が取り付けられると、差込口２０ｂおよび表面板２０ａの外表面が天板支持部材１０の外表面と面一になることにより、プラグ差し込み時の突出が極力避けられ、且つ面一となった面を脚柱３の外表面とも面一とすることも可能で、美感に優れたテーブル脚を提供できる。
【００３６】
さらに、コンセントユニット２０が通孔１２内に取り付けられた状態では、第１開口１２ａの外側面が表面板２０ａにより閉蓋されるので、通孔１２内に塵や埃が侵入することが阻止される。なお、天板支持部材１０の扇状支持部１４には、複数のボルト２７が上方に向け貫通され、天板２下面に形成された図示しない螺合穴に螺合され堅固に固定されている。
【００３７】
図６（ｂ）は、天板支持部材１０の第１開口１２ａに前述した閉塞部材３２が取り付けられた変形例であり、閉塞部材３２の表面板３２ａによって、第１開口１２ａが閉蓋され、天板支持部材１０の外表面と面一になることから見栄えを損ねず、コンセントユニット２０を必要としないテーブルとしても利用可能となり、また、閉塞部材３２を取り外してコンセントユニット２０に交換するだけで、いつでもコンセント付きテーブル１に変更できる。
【００３８】
図６（ｃ）は、天板支持部材１０の第１開口１２ａに通信ユニット４１を取り付けた変形例であり、表面板４１ａの中央部にＬＡＮケーブル等を接続可能な差込口４１ｂが設けられている。なお、通信ユニット４１の天板支持部材１０からの着脱は、上記したコンセントユニット２０と略同様のため説明を割愛する。このように、本発明において、電源供給用のコンセントユニット２０や通信接続用の通信ユニット４１等に限定されることなく、各種接続用コンセントユニットに対しても対応可能である。
【００３９】
コンセントユニット２０の背面側に接続される電源コード２６の配線について説明すると、図７（ａ）に示されるように、配線コード２６は天板支持部材１０の第２開口１２ｂで反転して配線溝１９に沿って下方向に配線され、脚柱３の上端部３ａから下端部３ｂに延び、カバー部材７およびアジャスタ３３の近傍から図示しない床面に沿って配線されている。
【００４０】
天板支持部材１０の第２開口１２ｂには、コンセントユニット２０の使用により取り外された閉塞部材３２が取り付けられ、嵌入部３２ｃの上下に形成された切欠き３２ｄ内に電源コード２６を配線させ、下方に向けて電源コード２６が配線されている。下方に配線された電源コード２６は図７（ｂ）に示されるように、脚柱３の背面側に形成された挿入溝６に嵌入され溝条５内に内挿されており、配線コード２６の外周に巻き付けられたスパイラルバンド２９によって、安易に電源コード２６が挿入溝６から抜け出ることのない構成になっている。また、挿入溝６より電源コード２６だけを溝条５内に内挿すればよく、プラグ２６ａは溝条５内を通す必要がないので、配線作業が楽である。
【００４１】
このように、コンセントユニット２０に接続された電源コード２６は、天板支持部材１０の第２開口１２ｂから宙吊り状態で配線されることなく脚柱３内に納められ、テーブル１を利用する利用者の手や足に引っ掛かることがなく安全性が高められるとともに、図８に示されるようにテーブル１の外部からの見栄えも良いものとなる。
【００４２】
図７，８に示すように、このテーブル１のコーナー部２ｃに各々設けられた天板支持部材１０の後端側の連結部１３には、一対毎にアーチ状に連結部材４５が連結され、さらに一対の連結部材４５間に連結部材４６が連結されることにより、強固な枠組みが構成されている。したがって、連結部材４５、４６により天板２のコーナー部２ｃにそれぞれ設けられた脚柱４の連結強度が高められ、例えば面積の大きな天板や重量のある天板に対しても対応可能となっている。しかも、天板支持部材１０の扇状支持部１４により天板２の支持面積を拡大させることで、より安定して天板２を支えることができる。
【００４３】
次に、コンセント付きテーブル１の利用形態について具体的に説明すると、図９に示されるように、天板２上に配置された各パソコン３４から各々延出された電源ケーブル３４ａのプラグ３４ｂが、それぞれ近傍に位置するコンセントユニット２０に接続されており、各パソコン３４に電気が確実に供給される。
【００４４】
また、利用者Ｈがテーブルの所望の位置に移動して作業を行う場合でも近くの脚柱の上にあるコンセントユニット２０から電気を供給でき、常時パソコン３４を利用可能になっている。また、コンセントユニット２０が天板支持部材１０の外方に位置するので、電源ケーブル３４を周囲に支障をきたすことなく最短距離で配線できる。
【００４５】
しかも、コンセントユニット２０は差込口２０ｂ（図示略）が外方に向くように脚柱上部の天板支持部材１０に取り付けられているので、利用者はコンセント位置が容易に予測できるので、プラグ３４ｂの差込、あるいは取り外し操作が楽である。
【００４６】
以上の説明により実施例１では、脚柱３の上端部３ａに設けられた天板支持部材１０にコンセントユニット２０が設けられるため、利用者Ｈに容易かつ確実に電源ケーブル３４ａのプラグ３４ｂの取付位置を確認させることができるとともに、天板２上に設置された電気機器であるパソコン３４等から延出される電源ケーブル３４ａのコンセントユニット２０の差込口２０ｂまでの長さ間隔を極力短くすることができるので、利用者Ｈが電源ケーブル３４ａに引っ掛かることが極量避けられるとともに、従来のように脚柱に加工を施してコンセントを取り付ける必要がないので、脚柱３の天板支持強度を低下させることもない。
【実施例２】
【００４７】
次に、本発明の実施例２を図１０に基づいて説明する。図１０は、コンセントユニットのテーブル配線における第２実施例を示す斜視図である。なお、以下の実施例２において前述の実施例１と同様の構造部分に関しては、同一の符号を付すことにより詳細な説明は省略することにする。
【００４８】
図１０に示されるように、コンセントユニット２０が通孔１２内に取り付けられた状態では、差込口２０ｂの反対側である後端面が第２開口１２ｂから僅かに差込口２０ｂ側に寄った位置にあり、コンセントユニット２０の後端面から第２開口１２ｂの間に空間部が形成されている。
【００４９】
また、コンセントユニット２０の後端に接続された電源コード２６は、第２開口１２ｂから延出され、連結部材４５の下面に沿い天板下面内方に配線されている。この電源コード２６は、所定箇所に設けられた金属板状の固定具３０により、連結部材４５、４６に位置固定されており、例えば、図１に示すように、壁面３６に設けられたコンセント３７の最も近傍に位置する一本の脚柱３からの電源コード２６と集線して電源を受けることで、配線処理の複雑化を防止できる。
【００５０】
このように、コンセントユニット２０の差込口２０ｂの反対側に第２開口１２ｂが形成されているので、電源コード２６を第２開口１２ｂの空間部を利用して、自由な方向に配線自在となり、上述の如くコンセントユニット２０を各脚柱３の上部に設けても配線処理の複雑化を防止することができる。
【００５１】
以上、本発明の実施例１、２を図面により説明してきたが、具体的な構成はこれら実施例に限られるものではなく、本発明の要旨を逸脱しない範囲における変更や追加があっても本発明に含まれ、例えば上記実施例では、コンセントユニット２０の嵌入部２０ｃの後端より係止片２３を延設させ、係合凸部２５および操作部２３ａを形成させることで、コンセントユニット２０を天板支持部材１０から取り外す際に、操作部２３ａの操作だけで容易に係合凹部１８から係合凸部２５の嵌合を解除でき、コンセントユニット２０の取り外しを容易に行えることから好ましいが、本発明はこれに限定されるものではなく、嵌入部２０ｃの外周面にバネ付勢したボールを設け、通孔１２の内周面にボール受け溝を形成して、コンセントユニット２０を第１開口２０ａから挿入してボールをボール受け溝に嵌合させて取り付け、第２開口１２ｂからコンセントユニット２０を前方に押し出すことで嵌合を解除させ、コンセントユニット２０を取り出すようにしても良い。
【００５２】
また、上記実施例では、天板支持部材１０の上部に一対の扇状支持部１４を設けることで、天板２の支持強度がより高められていることから好ましいが、本発明はこれに限定されるものではなく、天板支持部材１０に扇状支持部１４を設けない構成でも良いことは言うまでもなく、扇状支持部１４のない天板支持部材１０であっても、充分に天板２を支持可能である。同様に、各天板支持部材１０は連結部材４５、４６によって、間接的に連結され連結強度が高められているが、本発明はこれに限定されるものではなく、連結部材４５、４６を設けない構成でも良い。
【００５３】
また、上記実施例では、脚柱３上下方向に延びた溝条５を有した例で説明したが、内部に電源コードを納められるような構造であればどの様な形状であっても良い。
【図面の簡単な説明】
【００５４】
【図１】本発明の実施例１におけるコンセント付きテーブルの全体像を示す斜視図である。
【図２】天板支持部材に設けられるコンセントユニットを示す斜視図である。
【図３】天板支持部材と脚柱の分解組立斜視図である。
【図４】天板支持部材の背面構造を示す斜視図である。
【図５】（ａ）は、図３のＡ−Ａ線の断面図でありコンセントユニットを天板支持部材に取り付ける過程を示す図であり、（ｂ）は、コンセントユニットを天板支持部材に取り付けた断面図であり、（ｃ）は、コンセントユニットを天板支持部材から取り外す断面図である。
【図６】（ａ）は、天板支持部材にコンセントユニットが取り付けられた斜視図であり、（ｂ）は、天板支持部材に閉塞部材が取り付けられた変形例を示す斜視図であり、（ｃ）は、天板支持部材に通信ユニットが取り付けられた変形例を示す斜視図である。
【図７】（ａ）は、テーブルの下方内側より、天板のコーナー部側を見上げた斜視図であり、（ｂ）は、図７（ａ）のＢ−Ｂ線の断面図である。
【図８】テーブルの裏面構造を示す一部破断斜視図である。
【図９】テーブルの利用形態を示す平面概略図である。
【図１０】第２実施例におけるコンセントユニットのテーブル配線構造を示す斜視図である。
【符号の説明】
【００５５】
１                テーブル（コンセント付きテーブル）
２                天板
２ａ              上面
２ｂ              下面
２ｃ              コーナー部
３                脚柱
３ａ              上端部
３ｂ              下端部
４                螺合穴
５                溝条
６                挿入溝
１０              天板支持部材
１１              摺動溝
１２              通孔
１２ａ            第１開口
１２ｂ            第２開口
１２ｃ            開口
１３              連結部
１３ａ            連結孔
１４              扇状支持部
１５、１６        貫通孔
１７              挿入片
１８              係合凹部（被係合部）
１９              配線溝
２０              コンセントユニット
２０ａ            表面板
２０ｂ            差込口
２０ｃ            嵌入部
２１              案内片
２３              係止片
２３ａ            操作部
２５              係合凸部（係合部）
２６              電源コード
２６ａ            プラグ
２７、２８        ボルト
２９              スパイラルバンド
３０              固定具
３２              閉塞部材
３２ａ            表面板
３２ｃ            嵌入部
３２ｄ            切欠き
３４              パソコン（ノート型パソコン）
３４ａ            電源ケーブル
３４ｂ            プラグ
３６              壁面
３７              コンセント
３９              床面
４１              ＬＡＮ等の通信ユニット
４１ａ            表面板
４１ｂ            差込口
４１ｃ            嵌入部
４５、４６        連結部材
４５ａ            螺合穴
Ｈ                利用者
【図１】
2006102117.tif 000003
【図２】
2006102117.tif 000004
【図３】
2006102117.tif 000005
【図４】
2006102117.tif 000006
【図５】
2006102117.tif 000007
【図６】
2006102117.tif 000008
【図７】
2006102117.tif 000009
【図８】
2006102117.tif 000010
【図９】
2006102117.tif 000011
【図１０】
2006102117.tif 000012